(57)【要約】【課題】第１筐体と第２筐体とがスライド機構により互いにスライド可能に係合してなるスライド式小型電子機器において、開き状態或いは閉じ状態での両筐体のガタツキを阻止する。【解決手段】本発明に係るスライド式小型電子機器において、第１筐体の第２筐体との対向面には、該対向面と直交する方向に弾性変形可能な弾性部材８が配備されると共に、第２筐体の第１筐体との対向面には、閉じ状態若しくは開き状態にて弾性部材８の表面に摺接して弾性部材８を弾性変形せしめる凸部25が形成されている。【選択図】図１１
2008193630.tif 000002
【特許請求の範囲】
【請求項１】
第１筐体と第２筐体とがスライド機構により互いにスライド可能に係合し、両筐体が最大の重なり面積で重なった閉じ状態と、両筐体が最小の重なり面積で重なった開き状態とを設定することが可能なスライド式小型電子機器において、
第１筐体の第２筐体との対向面には、該対向面と直交する方向に弾性変形可能な弾性部材(８)が配備されると共に、第２筐体の第１筐体との対向面には、閉じ状態若しくは開き状態にて前記弾性部材(８)の表面に摺接して弾性部材(８)を弾性変形せしめる凸部(25)が形成されていることを特徴とするスライド式小型電子機器。
【請求項２】
前記弾性部材(８)の表面は、前記凸部(25)の接近離間方向を含む面内で傾く斜面に形成されている請求項１に記載のスライド式小型電子機器。
【請求項３】
前記弾性部材(８)は、第１筐体の対向面に貼り着けられた弾性シート(81)と、凸部(25)が摺接すべき高摺動性シート(83)とを具えている請求項１又は請求項２に記載のスライド式小型電子機器。
【発明の詳細な説明】
【技術分野】
【０００１】
本発明は、スライド式携帯電話機の如く、一対の筐体が互いにスライド可能に係合してなる小型電子機器に関するものである。
【背景技術】
【０００２】
スライド式携帯電話機においては、表面にテンキーが配備されたベース筐体と、表面にディスプレイが配備されたスライド筐体とが、互いにスライド可能に係合し、両筐体が最大の重なり面積で重なった閉じ状態と、両筐体が最小の重なり面積で重なった開き状態とを設定することが可能であり、通常は開き状態で通話を行なうようになっている。
【０００３】
ベース筐体に対してスライド筐体をスライドさせるためのスライド機構としては、例えば、スライド筐体の両側部にそれぞれスライド部が突設されると共に、ベース筐体の両側部にそれぞれ前記スライド部がスライド可能に係合するガイド溝が凹設されており、スライド部がガイド溝に沿って摺動することにより、ベース筐体に対するスライド筐体のスライドが案内される(例えば特許文献１)。
【特許文献１】特開平１１−３３１３３２号公報［H04M1/02］
【発明の開示】
【発明が解決しようとする課題】
【０００４】
しかしながら、従来のスライド式携帯電話機においては、両筐体はスライド機構により互いに係合して開き状態や閉じ状態でも互いの離間が拘束されているものの、例えば上述のスライド機構においてはスライド部とガイド溝の間にスムーズなスライドを実現するための最小限の遊びが設けられているため、開き状態や閉じ状態で両筐体間に僅かなガタツキが生じる問題があった。
【０００５】
本発明の目的は、一対の筐体がスライド機構により互いに係合しているスライド式小型電子機器において開き状態或いは閉じ状態での両筐体のガタツキを確実に阻止することである。
【課題を解決するための手段】
【０００６】
本発明に係るスライド式小型電子機器においては、第１筐体と第２筐体とがスライド機構により互いにスライド可能に係合し、両筐体が最大の重なり面積で重なった閉じ状態と、両筐体が最小の重なり面積で重なった開き状態とを設定することが可能である。
ここで、第１筐体の第２筐体との対向面には、該対向面と直交する方向に弾性変形可能な弾性部材(８)が配備されると共に、第２筐体の第１筐体との対向面には、閉じ状態若しくは開き状態にて前記弾性部材(８)の表面に摺接して弾性部材(８)を弾性変形せしめる凸部(25)が形成されている。
【０００７】
上記本発明のスライド式小型電子機器においては、第１筐体と第２筐体が閉じ状態から開き状態に移行したとき、或いは開き状態から閉じ状態に移行したとき、第１筐体の弾性部材(８)の表面に第２筐体の凸部(25)が摺接し、弾性部材(８)が厚さ方向に弾性変形することになる。この弾性部材(８)の弾性変形に伴う弾性反発力が凸部(25)に作用し、これによって両筐体が互いに離間する方向に付勢される。この結果、両筐体間のガタツキが吸収される。
【０００８】
具体的構成において、前記弾性部材(８)の表面は、前記凸部(25)の接近離間方向を含む面内で傾く斜面に形成されている。
該具体的構成によれば、第１筐体と第２筐体が閉じ状態から開き状態に達する直前、若しくは開き状態から閉じ状態に達する直前で、弾性部材(８)の表面に凸部(25)が当接し、更に開き状態若しくは閉じ状態へ向けてスライドが進む過程で弾性部材(８)の表面を凸部(25)が摺動して、弾性部材(８)の厚さ方向の分力によって弾性部材(８)を弾性変形せしめる。
【０００９】
他の具体的構成において、前記弾性部材(８)は、第１筐体の対向面に貼り着けられた弾性シート(81)と、凸部(25)が摺接すべき高摺動性シート(83)とを具えている。
該具体的構成によれば、弾性シート(81)が弾性変形機能を発揮し、高摺動性シート(83)は、凸部(25)の摺動摩擦を軽減する。
【発明の効果】
【００１０】
本発明に係るスライド式小型電子機器によれば、開き状態或いは閉じ状態での両筐体のガタツキを確実に阻止することが出来る。
【発明を実施するための最良の形態】
【００１１】
以下、本発明をスライド式携帯電話機に実施した形態につき、図面に沿って具体的に説明する。
本発明に係るスライド式携帯電話機は、図１〜図３に示す如く、表面にディスプレイ(21)及び機能キー(22)が配備されたベース筐体(１)と、表面にテンキー(11)が配備されたスライド筐体(２)とから構成され、スライド筐体(２)は、図１及び図２に示す閉じ位置と図３に示す開き位置の間でスライドが可能である。
【００１２】
図４に示す如く、スライド筐体(２)は背面側ケース半体(23)と表面側ケース半体(24)から構成され、表面側ケース半体(24)の表面にディスプレイ(21)及び機能キー(22)が配備されている。
一方、ベース筐体(１)は背面側ケース半体(12)と表面側ケース半体(13)から構成され、表面側ケース半体(13)の表面にテンキー(11)が配備されている。
そして、スライド筐体(２)の背面側ケース半体(23)とベース筐体(１)の表面側ケース半体(13)の間に、スライド機構(３)が介在している。
【００１３】
スライド機構(３)は、図５及び図６に示す如く、ベース筐体(１)の表面側ケース半体(13)に連結される第１プレート部材(32)と、スライド筐体(２)の背面側ケース半体(23)に連結される第２プレート部材(33)と、両プレート部材(32)(33)間に介在してスライド筐体(２)を中間位置から閉じ位置及び開き位置の両方向へ向けて付勢するバネ(31)とを具え、第１プレート部材(32)の両側部が第２プレート部材(33)の両側部に摺動可能に係合して、両プレート部材(32)(33)のスライド方向の相対移動が許容されると共に、スライド方向とは直交する方向の離間が阻止されている。
【００１４】
図４に示す如く、ベース筐体(１)の表面側ケース半体(13)の表面には、スライド筐体(２)と対向位置に、左右に伸びるリブ(18)が突設されると共に、該リブ(18)に沿って楔状の弾性部材(８)が配備されている。
一方、スライド筐体(２)の背面側ケース半体(23)の背面には、図５及び図６に示す如く、ベース筐体(１)との対向位置に、左右に伸びるリブ状の凸部(25)が形成されている。
【００１５】
スライド筐体(２)が開き位置から閉じ位置までスライドする過程で、スライド筐体(２)の凸部(25)はベース筐体(１)の弾性部材(８)に接近し、スライド筐体(２)が閉じ位置に達した状態では、スライド筐体(２)の凸部(25)がベース筐体(１)の弾性部材(８)の表面に乗り上げて、該表面に摺接することになる。これによって、弾性部材(８)が厚さ方向に収縮して、その弾性反発力によって弾性部材(８)の表面が凸部(25)を上方に押圧し、ベース筐体(１)とスライド筐体(２)の間の係合状態での遊びを吸収する。
この結果、スライド筐体(２)は、ベース筐体(１)に対してガタツキを生じることなく閉じ位置に保持されることになる。
【００１６】
ベース筐体(１)には、図７に示す如く背面側ケース半体(12)と表面側ケース半体(13)との間に、複数の電子部品(15)が実装された回路基板(14)と、該回路基板(14)を保持する樹脂製のシャーシ(７)とが配備される。
又、回路基板(14)の表面には、回路基板(14)上の通信機能に関わる複数の電子部品(15)を覆って、ＳＵＳ製のシールドカバー(４)が実装されている。
【００１７】
更に、回路基板(14)の表面には、前記シールドカバー(４)を覆って、ＳＵＳ製の補強板(５)が配備され、該補強板(５)は、シールドカバー(４)と同様に回路基板(14)上のグランド電位部(図示省略)に接続されている。
尚、シールドカバー(４)の表面には、その端部にクッション部材(41)が取り付けられており、該クッション部材(41)によって補強板(５)との間隙が調整されている。
【００１８】
補強板(５)の表面は、表面側ケース半体(13)の内面に設置されているキーシート(図示省略)と対向しており、表面側ケース半体(13)の表面に配備されている複数のテンキー(11)の押圧操作に伴う押圧力を受け止めることが可能となっている。
【００１９】
ベース筐体(１)の背面側ケース半体(12)は、図８に示す様に電池(９)を収容するための開口(12a)を有し、該開口(12a)を覆って電池蓋(17)が取り付けられる。背面側ケース半体(12)の背面には、カメラ窓(16a)を有する背面カバー(16)が取り付けられる。
【００２０】
又、ベース筐体(１)の内部には、シャーシ(７)上に、ＳＩＭカード(60)を読み取るためのカードリーダ(６)と、ＳＩＭカード(60)をカードリーダ(６)内へ移送するためのカードトレイ(61)とが設置される。
シャーシ(７)の背面には、電池(９)を設置するための電池設置面(71)が形成されると共に、該電池設置面(71)には、カードリーダ設置面(73)へ繋がる領域に、カードトレイ(61)の摺動を案内する凹面(72)が形成されている。
電池設置面(71)及び凹面(72)には、ラベル(19)が貼付される。
【００２１】
ここで凹面(72)は、電池設置面(71)よりも僅かに低い位置に形成され、カードリーダ設置面(73)は、凹面(72)よりも更に低い位置に形成されている。そして、凹面(72)とカードリーダ設置面(73)との境界位置には、凹面(72)とカードリーダ設置面(73)とを繋ぐスロープ部(74)が形成されている。
【００２２】
図４に示す弾性部材(８)は、具体的には図１２(ａ)に示す如く、表面側ケース半体(13)の表面に貼付されたスポンジ状の弾性シート(81)と、該弾性シート(81)の表面に貼付された樹脂シート(82)と、該樹脂シート(82)の表面に貼付された高摺動性シート(83)とから構成されている。
樹脂シート(82)は、弾性シート(81)の表面全域を覆うと共にリブ(18)とは反対側へ延びて、表面側ケース半体(13)の表面に達しており、これによって弾性シート(81)の表面には、表面側ケース半体(13)側へ低く傾斜する斜面が形成されている。
高摺動性シート(83)は、樹脂シート(82)の表面全域を覆うと共にリブ(18)とは反対側へ延びて、表面側ケース半体(13)の表面に対しており、これによって高摺動性シート(83)の表面には、表面側ケース半体(13)側へ低く傾斜する緩やかな斜面が形成されている。
【００２３】
図９〜図１１は、スライド筐体(２)が開き位置から閉じ位置へ向かってスライドする過程を示している。
図９の如くスライド筐体(２)が開き位置に保持されている状態では、スライド筐体(２)の背面側ケース半体(23)の凸部(25)は、ベース筐体(１)の表面側ケース半体(13)上の弾性部材(８)から離間している(図１２(ａ)参照)。
【００２４】
この状態から図１０の如くスライド筐体(２)が閉じ位置の直前に達すると、図１２(ｂ)の如く凸部(25)が弾性部材(８)の表面の斜面領域に当接する。
更に、図１１の如くスライド筐体(２)が閉じ位置に達すると、図１２(ｃ)の如く凸部(25)は弾性部材(８)の斜面領域を経て平面領域へ移行し、弾性部材(８)を厚さ方向に弾性変形せしめる。
【００２５】
本発明に係るスライド式携帯電話機によれば、上述の如く、スライド筐体(２)が閉じ位置に達すると、スライド筐体(２)側の凸部(25)がベース筐体(１)側の弾性部材(８)を厚さ方向に弾性変形せしめるので、弾性部材(８)の弾性反発力が凸部(25)に作用して、ベース筐体(１)に対してスライド筐体(２)をスライド方向とは直交する離間方向に付勢する。
この結果、図５に示すスライド機構(３)の第１プレート部材(32)と第２プレート部材(33)の間のスライド方向とは直交する方向の遊びが吸収され、閉じ状態でのベース筐体(１)とスライド筐体(２)の間のガタツキが防止される。
【００２６】
又、シャーシ(７)においては、電池設置面(71)よりも凹面(72)が低く、更に該凹面(72)よりもカードリーダ設置面(73)が低いので、電池設置面(71)とカードリーダ設置面(73)の高低差分だけ、従来よりもカードリーダ(６)を低い位置に設置することが出来る。従って、ベース筐体(１)内のカードリーダ(６)の位置の低下分だけベース筐体(１)の薄型化を図ることが可能となる。
【００２７】
又、シールドカバー(４)によって覆われている電子部品(15)は補強板(５)によっても覆われて、シールドカバー(４)と補強板(５)の両方によるシールドが施されることとなり、従来のシールドシャーシによるシールドと同等、若しくはそれ以上のシールド効果を得ることが出来る。
【００２８】
更に、従来のシールドシャーシに代わるシールドカバー(４)と補強板(５)によるシールド構造においては、シールドカバー(４)と補強板(５)がそれぞれＳＵＳ製の金属板から形成されているために肉厚の小さなものを採用することが可能であり、これによって、従来のシールドシャーシを用いた構造よりもベース筐体(１)の薄型化が図られている。
【００２９】
尚、本発明の各部構成は上記実施の形態に限らず、特許請求の範囲に記載の技術的範囲内で種々の変形が可能である。例えば、本発明に係る弾性部材(８)及び凸部(25)からなるガタツキ防止機構は、ベース筐体(１)とスライド筐体(２)の閉じ状態で機能する構成に限らず、開き状態で機能する構成とすることも可能である。
【図面の簡単な説明】
【００３０】
【図１】本発明に係るスライド式携帯電話機を表面側から見た斜視図である。
【図２】該スライド式携帯電話機を背面側から見た斜視図である。
【図３】該スライド式携帯電話機の開き状態を示す斜視図である。
【図４】該スライド式携帯電話機を分解した状態を表面側から見た斜視図である。
【図５】該スライド式携帯電話機を分解した状態を背面側から見た斜視図である。
【図６】スライド筐体の背面を示す斜視図である。
【図７】ベース筐体を分解した状態を表面側から見た斜視図である。
【図８】ベース筐体を分解した状態を背面側から見た斜視図である。
【図９】開き状態におけるベース筐体とスライド筐体の断面図である。
【図１０】閉じ状態直前におけるベース筐体とスライド筐体の断面図である。
【図１１】閉じ状態におけるベース筐体とスライド筐体の断面図である。
【図１２】弾性部材と凸部からなるガタツキ防止機構の動作を示す一連の要部断面図である。
【符号の説明】
【００３１】
(１)  ベース筐体
(11)  テンキー
(12)  背面側ケース半体
(13)  表面側ケース半体
(２)  スライド筐体
(21)  ディスプレイ
(23)  背面側ケース半体
(24)  表面側ケース半体
(25)  凸部
(３)  スライド機構
(14)  回路基板
(15)  電子部品
(４)  シールドカバー
(５)  補強板
(６)  カードリーダ
(61)  カードトレイ
(７)  シャーシ
(71)  電池設置面
(72)  トレイ案内面
(73)  カードリーダ設置面
(74)  スロープ部
(８)  弾性部材
(９)  電池
【図１】
2008193630.tif 000003
【図２】
2008193630.tif 000004
【図３】
2008193630.tif 000005
【図４】
2008193630.tif 000006
【図５】
2008193630.tif 000007
【図６】
2008193630.tif 000008
【図７】
2008193630.tif 000009
【図８】
2008193630.tif 000010
【図９】
2008193630.tif 000011
【図１０】
2008193630.tif 000012
【図１１】
2008193630.tif 000013
【図１２】
2008193630.tif 000014